(57)【要約】【課題】  地震時に箪笥、食器棚等の家具の転倒を防止する転倒防止用具を提供することを第１の課題とし、更に家具の上部に収納スペースを設けると共に、収納スペースにおいた物が落下することを防止する家具等の転倒防止用具を提供する。【解決手段】  箪笥上面と天井の間の高さと略同じになる程度まで空気により脹らませたエアバッグ２，２の結合部８，８と連結具３の両端に設けられた結合部９，９をネジ部材１０，１０により螺合して連結し、連結具３により連結されたエアバッグ２，２を箪笥７上面に設置し、固定金具４，４によりエアバッグ２，２を箪笥７上面にネジ止して、エアバッグ２，２が箪笥７と天井に密着するように前記逆止弁付注入栓からエアバッグ２，２に空気を入れ加え、エアバッグ２，２間の空間に箱６を置き、もう一つの連結具３を上記のようにネジ部材１０，１０によりエアバッグ２，２と連結する。【選択図】  図１
2006246932.tif 000002
【特許請求の範囲】
【請求項１】
注入栓を設けたエアバッグから成り、箪笥、食器等の家具の上部と天井間に挿入し、前記注入栓から空気等のガスを注入して膨張させて家具を固定することを特徴とする家具等の転倒防止用具。
【請求項２】
ガスを注入した不使用時のエアバッグの高さを家具の上部と天井間の高さよりも大きくしたことを特徴とする請求項１記載の家具等の転倒防止用具。
【請求項３】
複数の前記エアバッグを連結具で連結したことを特徴とする請求項１または２記載の家具等の転倒防止用具。
【請求項４】
前記エアバッグの上面及び／又は下面に滑り止手段を設けたことを特徴とする請求項１〜３のいずれかに記載の家具等の転倒防止用具。
【発明の詳細な説明】
【技術分野】
【０００１】
本発明は地震等の振動により家具が転倒するのを防止する家具等の転倒防止用具に関するものである。
【背景技術】
【０００２】
従来、地震等の振動により、箪笥や食器棚等の家具の転倒を防止する為に、前記家具の上部と天井の間に伸縮自在なつっかえ棒を設けたり、家具の上部と壁をＬ字状金具等の転倒防止用具により固定する等の方法が取られていた。しかし、これらつっかえ棒やＬ字状金具では、家具と天井との接触面積が狭いため、固定力が弱く、そのため転倒防止用具を天井と家具にネジや釘により固定していても、地震の揺れにより転倒防止用具と天井と家具の接触面が動いてしまうためネジや釘が緩くなってしまい、結果家具を固定しきれず転倒しまっていた。
【０００３】
また、つっかえ棒による固定方法では、地震が縦揺れの場合は天井と家具の上部との距離が変化するため、つっかえ棒が外れてしまうことがあり、また一般家庭の天井は薄いため、天井が家具を支えるための強度が弱く、却って天井が損傷してしまい、家具等が転倒する場合があった。
【０００４】
一方、上記転倒防止用具の他に、特許文献１記載の図１に示すように、収縮されたエアバッグを家具の上部に設け、地震の揺れを感知した時は、当該エアバッグを圧縮ガスにより脹らませて、家具と天井の間をエアバッグで埋めることにより家具の転倒を防止する装置が開示されている。
【０００５】
しかし、上記特許文献１の地震時にエアバックを膨張させることによる転倒防止装置は、地震の揺れを感知するための装置が必要となり構造が複雑となり、また本来地震でない揺れを感知して誤作動を起こす危険性があった。
【０００６】
また、箪笥等の上部には物を置く為のスペースとして使われることが多く、特許文献１記載の図１１では、そのためにエアバッグに物を収納する引出しを設けた実施例が開示されているが、この実施例では装置自体が大きくなり、また地震の時に引出しが飛び出して落下するという問題があった。
【特許文献１】特開平８−２９９０８４号公報  図１，図１１
【発明の開示】
【発明が解決しようとする課題】
【０００７】
そこで本発明は、地震時に箪笥、食器棚等の家具の転倒を防止する転倒防止用具を提供することを第１の課題とし、更に家具の上部に収納スペースを設けると共に、収納スペースにおいた物が落下することを防止する家具等の転倒防止用具を提供しようとするものである。
【課題を解決するための手段】
【０００８】
本発明は、上記の課題を解決するためになされたもので、第１の発明は、注入栓を設けたエアバッグから成り、箪笥、食器等の家具の上部と天井間に挿入し、前記注入栓から空気等のガスを注入して膨張させて家具を固定することを特徴とする家具等の転倒防止用具である。
【０００９】
第２の発明は、第１の発明において、ガスを注入した不使用時のエアバッグの高さを家具の上部と天井間の高さよりも大きくしたことを特徴とする家具等の転倒防止用具である。
【００１０】
第３の発明は、第１又は第２の発明において、複数の前記エアバッグを連結具で連結したことを特徴とする家具等の転倒防止用具である。
【００１１】
第４の発明は、第１〜第３のいずれかの発明において、前記エアバッグの上面又は下面に滑り止手段を設けたことを特徴とする家具等の転倒防止用具である。
【発明の効果】
【００１２】
第１の発明によれば、脹らましたエアバッグを箪笥等の家具の上部と天井の間に設けることにより、接触面積が広いために圧力が１点に集中しないため、天井を損傷することもなく、家具等をより良く固定して地震時の転倒を防止することができ、横揺れ時にはエアバッグが変形して天井と家具の接触面が離れることなく、縦揺れ時にも上下方向に圧力がかかっているため外れ難い。
【００１３】
第２の発明によれば、ガスを注入した不使用時におけるエアバックの高さが、設置する家具の上部の天井間の高さより大きくすることで、種々の高さに汎用的に設置することができ、地震時にエアバッグに荷重がかかっても力を分散することができ、縦、横または斜めの揺れに対して傾いた時でも、エアバッグの大きさに余裕があるため、エアバックは支障なく変形し、エアバッグのどこかしらの面や点で天井と家具と離れることなく接し支えているので家具の転倒を防止することができる。
【００１４】
第３の発明によれば、第１又は第２の発明の複数のエアバッグを連結具で連結することにより、エアバッグの安定度が高くなり、またエアバッグ間に物を置くことができ、連結具によりエアバッグ間においた物が落下すことを防止することができる。
【００１５】
第４の発明によれば、前記エアバッグの上面又は下面に滑り止手段を設けることにより地震時によるエアバックのずれを防止することができる。
【実施例１】
【００１６】
図１は本発明にかかる実施例を示す斜視図で、１は転倒防止用具の本体、２，２はゴム等の伸縮材料を使用したエアバック、３，３はエアバック２，２を互いに連結する連結具、４，４は箪笥７に本体１を固定するためにエアバッグ２の側面４箇所に設けられたネジ孔を有する固定金具、５，５はエアバッグ２，２の上面に設けられた表面が凸凹処理された滑り止シート、６はエアバッグ２，２と連結具３，３に四方を囲まれて箪笥上面に置かれた箱である。
【００１７】
本体１を箪笥上面に設置する方法を説明すると、先ずエアバッグ２，２を箪笥上面と天井の間の高さと略同じになる程度までエアバッグの逆止弁付注入栓（図示せず）からポンプにより空気を入れ脹らませる。そして、図２に示すようにエアバッグ２設けられた結合部８と連結具３の両端に設けられた一方の結合部９をネジ部材１０により螺合することでエアバック２と連結具３を連結し、同様に連結具３の残りの片側にもう一つのエアバック２を連結してエアバック２，２を連結具３により連結する。
【００１８】
次に、連結されたエアバッグ２，２を箪笥７上面に設置し、固定金具４，４によりエアバッグ２，２を箪笥７上面にネジ止し、エアバッグ２，２が箪笥７と天井に密着するように前記逆止弁付注入栓からエアバッグ２，２に空気を入れ加え、エアバッグ２，２間の空間に箱６を置き、もう一つの連結具３を上記のようにネジ部材１０によりエアバッグ２，２と連結する。
【００１９】
以上の実施例１によれば、箪笥７上面に置かれた箱６は両側をエアバッグ２，２により、前後は連結具３，３によって囲まれているため、地震の時に箪笥７上面から落下することがなく、箪笥７の上面を収納スペースとして有効活用でき、しかも地震があった時も落下の心配がなく安全である。またエアバッグ２，２の圧力によりにより箪笥７はしっかりと固定され、接触面も広く、上面には滑り止シート５，５が設けられているためにずれ難く、地震時に本体１が外れることがなく、有効に箪笥７の転倒を防止することが出来る。
【実施例２】
【００２０】
図３は、本発明の第２の実施例を示す斜視図で、１’は転倒防止用具の本体、２’，２’はゴム等の伸縮材料を使用したエアバック、３’，３’はエアバック２’，２’を互いに連結する連結具、４’，４’はエアバッグ２’の側面４箇所に設けられたネジ孔を有する固定金具、５’，５’はエアバッグ２’，２’の上面に設けられた表面が凸凹処理された滑り止シートで、構成は上記実施例１と同様であるが、エアバッグ２’，２’と連結具３’，３’はボタン１１，１１，１１，１１により連結されているものである。
【実施例３】
【００２１】
図４は、本発明の第３の実施例を示す斜視図で、１”は転倒防止用具の本体、２”，２”はゴム等の伸縮材料を使用したエアバック、３”，３”はエアバック２”，２”を互いに連結する連結具、４”，４”はエアバッグ２”の側面４箇所に設けられたネジ孔を有する固定金具、５”，５”はエアバッグ２”，２”の上面に設けられた表面が凸凹処理された滑り止シートで、構成は上記実施例１と同様であるが、エアバッグ２”，２”と連結具３”，３”はマジックテープ（登録商標）１２，１２により連結されているものである。
【００２２】
上記実施例１〜３の転倒防止用具は固定金具により箪笥にネジにより固定されているものであるが、固定方法は両面テープなどにより接着する方法等、実施例に示した方法に限らないことは勿論であり、天井と転倒防止具を固定してもよいことも勿論である。
【００２３】
またエアバッグの材質は、ゴムだけに限らず、丈夫な伸縮性のある合成繊維又はビニールでもよく、連結具も金属やプラスチックだけでなく耐久性等の品質に問題なければ、ビニール等の材料でもよいことは勿論である。なお、透明又は不透明なビニール等の材質であれば、見た目が良く、エアバック２，２間に設けた箱６の状態を常時確認することもできる。
【図面の簡単な説明】
【００２４】
【図１】本発明の実施例１の斜視図。
【図２】本発明の実施例１の連結方法を説明する拡大図。
【図３】本発明の実施例２の斜視図。
【図４】本発明の実施例３の斜視図
【符号の説明】
【００２５】
１          本体
２，２      エアバッグ
３，３      連結具
４，４      固定金具
５，５      滑り止シート
６          箱
７          箪笥
８，９      結合部
１０    ネジ部材
【図１】
2006246932.tif 000003
【図２】
2006246932.tif 000004
【図３】
2006246932.tif 000005
【図４】
2006246932.tif 000006